(57)【要約】      （修正有）【課題】高データレート通信システムでのアクセスターミナルとアクセスネットワークとの間の接続方法を改良する。【解決手段】高データレート通信システムにおいて、高速アクセスチャネルおよび高速アクセスインジケータを使用して、アクセスターミナルとアクセスネットワークとの間の接続を有効に確立する方法および装置。高速アクセスプローブに応答して高速アクセスインジケータを受信すると、アクセスターミナルはデータレート制御（ＤＲＣ）情報を含むトラフィックチャネル信号を送信し始める。ＤＲＣ情報をアクセスネットワークにより使用して、要求されたＤＲＣレートでトラフィックチャネル割当メッセージのようなメッセージを送信する。【選択図】図５
2008295038.tif 000002
【特許請求の範囲】
【請求項１】
アクセスターミナルとアクセスネットワークとの間の接続を確立する方法において、
アクセスプローブの第１の部分をアクセスネットワークに送信し、
アクセスネットワークから高速アクセスインジケータチャネル上で第１の部分に対応する高速アクセスインジケータを受信し、
高速アクセスインジケータに基づいて、高速接続リバーストラフィックチャネル信号をアクセスターミナルからネットワークに送信すること含み、
トラフィックチャネル信号はデータレート制御情報を含む方法。
【請求項２】
高速アクセスインジケータは１ビットである請求項１記載の方法。
【請求項３】
予め定められた高速アクセスインジケータウォルシュコードを使用して高速アクセスインジケータをデカバーすることをさらに含む請求項１記載の方法。
【請求項４】
３２チップの持続時間を有する予め定められた高速アクセスインジケータウォルシュコードを使用して高速アクセスインジケータをデカバーすることをさらに含む請求項１記載の方法。
【請求項５】
６４チップの持続時間を有する予め定められた高速アクセスインジケータウォルシュコードを使用して高速アクセスインジケータをデカバーすることをさらに含む請求項１記載の方法。
【請求項６】
予め定められた高速接続リバーストラフィックチャネルウォルシュカバーを使用してデータレート制御情報をカバーすることをさらに含む請求項１記載の方法。
【請求項７】
データレート制御情報に基づくデータレートでアクセスネットワークから受信されたトラフィックチャネル割当メッセージをデコードすることをさらに含む請求項１記載の方法。
【請求項８】
データレート制御情報に基づくデータレートでアクセスネットワークから受信されたアクセスプローブ肯定応答メッセージをデコードすることをさらに含む請求項１記載の方法。
【請求項９】
データレート制御情報に基づくデータレートでアクセスネットワークからリバーストラフィックチャネル肯定応答を受信することをさらに含む請求項１記載の方法。
【請求項１０】
データレート制御情報に基づくデータレートでアクセスネットワークから組み合わされたメッセージを受信することをさらに含み、組み合わされたメッセージはトラフィックチャネル割当メッセージ、アクセスプローブ肯定応答メッセージおよびリバーストラフィックチャネル肯定応答を含む請求項１記載の方法。
【請求項１１】
アクセスプローブの第１の部分は時差的に配置されている複数の高速アクセスチャネルの第１の高速アクセスチャネル上で送信され、高速アクセスインジケータは第１の部分の直後の高速アクセスインジケータスロット中で送信される請求項１記載の方法。
【請求項１２】
アクセスプローブの第１の部分は複数の高速アクセスチャネルの第１の高速アクセスチャネル上で送信され、複数の高速アクセスチャネルのそれぞれは異なるＰＮロングコードを使用し、高速アクセスインジケータは第１の高速アクセスチャネルのタイミングに基づいて識別される請求項１記載の方法。
【請求項１３】
システム時間値に基づくロングコードマスクを有するＰＮロングコードを使用してアクセスプローブの第１の部分をカバーすることをさらに含む請求項１記載の方法。
【請求項１４】
アクセスターミナルとアクセスネットワークとの間の接続を確立する方法において、
データレート制御情報を含むトラフィックチャネル信号をアクセスネットワークに送信し、
データレート制御情報に基づくデータレートでトラフィックチャネル割当メッセージをアクセスネットワークから受信することを含む方法。
【請求項１５】
予め定められた高速接続リバーストラフィックチャネルウォルシュカバーを使用してデータレート制御情報をカバーすることをさらに含む請求項１４記載の方法。
【請求項１６】
トラフィックチャネル割当メッセージは、アクセスプローブ肯定応答メッセージをさらに含む１つのフォワードリンクメッセージで受信され、１つのフォワードリンクメッセージはデータレート制御情報に基づくデータレートで受信される請求項１４記載の方法。
【請求項１７】
トラフィックチャネル割当メッセージは、リバーストラフィックチャネル肯定応答メッセージをさらに含む１つのフォワードリンクメッセージで受信され、１つのフォワードリンクメッセージはデータレート制御情報に基づくデータレートで受信される請求項１４記載の方法。
【請求項１８】
トラフィックチャネル割当メッセージはリバーストラフィックチャネル肯定応答メッセージとアクセスプローブ肯定応答メッセージをさらに含む１つのフォワードリンクメッセージで受信され、１つのフォワードリンクメッセージはデータレート制御情報に基づくデータレートで受信される請求項１４記載の方法。
【請求項１９】
データレート制御情報に基づくデータレートでアクセスネットワークから受信されたアクセスプローブ肯定応答メッセージをデコードすることをさらに含む請求項１４記載の方法。
【請求項２０】
データレート制御情報に基づくデータレートでアクセスネットワークからリバーストラフィックチャネル肯定応答を受信することをさらに含む請求項１４記載の方法。
【請求項２１】
高速アクセスプローブプリアンブルをアクセスターミナルからアクセスネットワークに送信し、
アクセスネットワークから高速アクセスインジケータチャネル上で高速アクセスプローブプリアンブルに対応する高速アクセスインジケータを受信することをさらに含む請求項１４記載の方法。
【請求項２２】
高速アクセスインジケータは１ビットである請求項２１記載の方法。
【請求項２３】
予め定められた高速アクセスインジケータウォルシュコードを使用して高速アクセスインジケータをデカバーすることをさらに含む請求項２１記載の方法。
【請求項２４】
３２チップの持続時間を有する予め定められた高速アクセスインジケータウォルシュコードを使用して高速アクセスインジケータをデカバーすることをさらに含む請求項２１記載の方法。
【請求項２５】
６４チップの持続時間を有する予め定められた高速アクセスインジケータウォルシュコードを使用して高速アクセスインジケータをデカバーすることをさらに含む請求項２１記載の方法。
【請求項２６】
アクセスプローブプリアンブルは時差的に配置されている複数の高速アクセスチャネルの第１の高速アクセスチャネル上で送信され、高速アクセスインジケータは第１の部分の直後の高速アクセスインジケータスロット中で送信される請求項２１記載の方法。
【請求項２７】
アクセスプローブプリアンブルは複数の高速アクセスチャネルの第１の高速アクセスチャネル上で送信され、複数の高速アクセスチャネルのそれぞれは異なるＰＮロングコードを使用し、高速アクセスインジケータは第１の高速アクセスチャネルのタイミングに基づいて識別される請求項２１記載の方法。
【請求項２８】
システム時間値に基づくロングコードマスクを有するＰＮロングコードを使用してアクセスプローブの第１の部分をカバーすることをさらに含む請求項２１記載の方法。
【請求項２９】
アクセスターミナルとアクセスネットワークとの間の接続を確立する方法において、
アクセスターミナルからアクセスプローブの第１の部分を受信し、
アクセスネットワークから高速アクセスインジケータを送信し、
アクセスターミナルからデータレート制御情報を受信し、
データレート制御情報に基づくデータレートでトラフィックチャネル割当メッセージをアクセスターミナルに送信することを含む方法。
【請求項３０】
高速アクセスインジケータは１ビットである請求項２９記載の方法。
【請求項３１】
予め定められた高速アクセスインジケータウォルシュコードを使用して高速アクセスインジケータをカバーすることをさらに含む請求項２９記載の方法。
【請求項３２】
３２チップの持続時間を有する予め定められた高速アクセスインジケータウォルシュコードを使用して高速アクセスインジケータをカバーすることをさらに含む請求項２９記載の方法。
【請求項３３】
６４チップの持続時間を有する予め定められた高速アクセスインジケータウォルシュコードを使用して高速アクセスインジケータをカバーすることをさらに含む請求項２９記載の方法。
【請求項３４】
予め定められた高速接続リバーストラフィックチャネルウォルシュカバーを使用してデータレート制御情報をデカバーすることをさらに含む請求項２９記載の方法。
【請求項３５】
データレート制御情報に基づくデータレートでアクセスプローブ肯定応答メッセージをアクセスターミナルに送信することをさらに含む請求項２９記載の方法。
【請求項３６】
データレート制御情報に基づくデータレートでリバーストラフィックチャネル肯定応答をアクセスターミナルに送信することをさらに含む請求項２９記載の方法。
【請求項３７】
トラフィックチャネル割当メッセージは、リバーストラフィックチャネル肯定応答メッセージとアクセスプローブ肯定応答メッセージをさらに含む１つのフォワードリンクメッセージで送信され、１つのフォワードリンクメッセージはデータレート制御情報に基づくデータレートで送信される請求項２９記載の方法。
【請求項３８】
アクセスプローブの第１の部分は時差的に配置されている複数の高速アクセスチャネルの第１の高速アクセスチャネル上で受信され、高速アクセスインジケータは第１の部分の直後の高速アクセスインジケータスロット中で送信される請求項２９記載の方法。
【請求項３９】
複数の高速アクセスチャネルの第１の高速アクセスチャネルを逆拡散し、複数の高速アクセスチャネルのそれぞれは異なるＰＮロングコードを使用し、アクセスプローブの第１の部分は第１の高速アクセスチャネル上で受信される請求項２９記載の方法。
【請求項４０】
システム時間値に基づくロングコードマスクを有するＰＮロングコードを使用してアクセスプローブの第１の部分を逆拡散することをさらに含む請求項２９記載の方法。
【請求項４１】
アクセスターミナルとアクセスネットワークとの間の接続を確立する方法において、
アクセスターミナルからアクセスプローブの第１の部分を受信し、
アクセスネットワークから高速アクセスインジケータを送信し、
アクセスターミナルからデータレート制御情報を受信し、
データレート制御情報に基づくデータレートで、組み合わされたメッセージをアクセスターミナルに送信することを含み、
組み合わされたメッセージはトラフィックチャネル割当メッセージ、アクセスプローブ肯定応答メッセージおよびリバーストラフィックチャネル肯定応答を含む方法。
【請求項４２】
高速アクセスインジケータは１ビットである請求項４１記載の方法。
【請求項４３】
予め定められた高速アクセスインジケータウォルシュコードを使用して高速アクセスインジケータをカバーすることをさらに含む請求項４１記載の方法。
【請求項４４】
３２チップの持続時間を有する予め定められた高速アクセスインジケータウォルシュコードを使用して高速アクセスインジケータをカバーすることをさらに含む請求項４１記載の方法。
【請求項４５】
６４チップの持続時間を有する予め定められた高速アクセスインジケータウォルシュコードを使用して高速アクセスインジケータをカバーすることをさらに含む請求項４１記載の方法。
【請求項４６】
予め定められた高速接続リバーストラフィックチャネルウォルシュカバーを使用してデータレート制御情報をデカバーすることをさらに含む請求項４１記載の方法。
【請求項４７】
アクセスプローブの第１の部分は、時差的に配置されている複数の高速アクセスチャネルの第１の高速アクセスチャネル上で受信され、高速アクセスインジケータは第１の部分の直後の高速アクセスインジケータスロット中で送信される請求項４１記載の方法。
【請求項４８】
複数の高速アクセスチャネルの第１の高速アクセスチャネルを逆拡散することをさらに含み、複数の高速アクセスチャネルのそれぞれは異なるＰＮロングコードを使用し、アクセスプローブの第１の部分は第１の高速アクセスチャネル上で受信される請求項４１記載の方法。
【請求項４９】
システム時間値に基づくロングコードマスクを有するＰＮロングコードを使用してアクセスプローブの第１の部分を逆拡散することをさらに含む請求項４１記載の方法。
【請求項５０】
システム時間信号を発生させるように構成されたシステム時間プロセッサと、
システム時間信号に基づくロングコードマスクを使用して第１のＰＮロングコードを発生させるように構成されたＰＮロングコード発生器と、
第１のＰＮロングコードによりアクセスチャネルプローブ信号を乗算するように構成されたＰＮ拡散器とを具備するアクセスターミナル装置。
【請求項５１】
予め定められた高速接続リバーストラフィックチャネルウォルシュカバーによりデータレート制御信号を乗算して、カバーされたデータレート制御信号を生成するように構成されたミキサをさらに具備し、
ＰＮ拡散器は第２のＰＮロングコードにより、カバーされたデータレート制御信号を拡散するようにさらに構成されている請求項５０記載の装置。
【請求項５２】
第１のＰＮロングコードは複素ＰＮロングコードであり、ＰＮ拡散器はアクセスチャネルプローブ信号によるＰＮロングコードの複素乗算を実行するように構成されている請求項５０記載の装置。
【請求項５３】
高速アクセスインジケータ信号を高速アクセスインジケータウォルシュカバーと混合し、カバーされた高速アクセスインジケータ信号を生成するように構成されたミキサと、
ＰＮコードにより、カバーされた高速アクセスインジケータ信号を乗算するように構成されたＰＮ拡散器とを具備するアクセスネットワーク装置。
【請求項５４】
少なくとも１つのリバース電力制御ウォルシュカバーにより少なくとも１つのリバース電力制御信号を乗算するように構成された少なくとも１つのミキサをさらに具備し、
少なくとも１つのリバース電力制御ウォルシュカバーのそれぞれは、他のリバース電力制御ウォルシュカバーのそれぞれと直交し、
少なくとも１つのリバース電力制御ウォルシュカバーのそれぞれは高速アクセスインジケータウォルシュカバーと直交する請求項５３記載の装置。
【請求項５５】
高速アクセスインジケータ信号の利得を調整するように構成された利得ブロックをさらに具備する請求項５３記載の装置。
【請求項５６】
バイナリ信号を＋１および−１にマッピングして、高速アクセスインジケータ信号を生成するように構成された信号ポイントマッピングユニットをさらに具備する請求項５３記載の装置。
【請求項５７】
ＰＮコードが複素ＰＮコードであり、
ＰＮ拡散器は高速アクセスインジケータ信号により複素ＰＮコードの複素乗算を実行するように構成されている請求項５３記載の装置。
【請求項５８】
アクセスプローブの第１の部分をアクセスネットワークに送信する手段と、
アクセスネットワークから高速アクセスインジケータチャネル上で第１の部分に対応する高速アクセスインジケータを受信する手段と、
高速アクセスインジケータに基づいて高速接続リバーストラフィックチャネル信号をアクセスターミナルからアクセスネットワークに送信する手段とを具備し、
高速接続リバーストラフィックチャネル信号はデータレート制御情報を含むアクセスターミナル装置。
【請求項５９】
アクセスターミナルからアクセスプローブの第１の部分を受信する手段と、
アクセスネットワークから高速アクセスインジケータを送信する手段と、
アクセスターミナルからデータレート制御情報を受信する手段と、
データレート制御情報に基づくデータレートでトラフィックチャネル割当メッセージをアクセスターミナルに送信する手段とを具備するアクセスネットワーク装置。
【発明の詳細な説明】
【発明の分野】
【０００１】
本発明はワイヤレスデータ通信に関する。特に、本発明は高データレート（ＨＤＲ）ワイヤレス通信システムにおいてリソースを割り当てるための新規で改良された方法および装置に関する。
【０００２】
ここに開示されている実施形態は高データレート（ＨＤＲ）ワイヤレス通信システムにおいてトラフィックチャネルリソースを割り当てる改良された方法および装置に向けられている。
【従来の技術】
【０００３】
例示的なＨＤＲシステムは本願の譲受人に譲渡された米国特許出願第０８／９６３，３８６号で説明されており、この米国特許出願は参照によりここに組み込まれ、以後‘３８６出願として言及する。’３８６出願では、システムが説明され、このシステムではＨＤＲ可能な加入者局が複数直交チャネルのＣＤＭＡ波形を使用してリバースリンク上でデータを送信する。ＨＤＲシステムで使用されるアクセスチャネル構造は、“ワイドバンドスペクトル拡散セルラシステムに対する移動局−基地局互換性標準規格”と題するＥＩＡ／ＴＩＡ−９５Ｂで説明されているものと類似し、この標準規格は当業者によく知られ、以後“９５Ｂ”として言及する。
【発明の実施の形態】
【０００４】
定義付けセクション
図１は例示的なＨＤＲ通信システムの図である。ここではアクセスターミナル（ＡＴ）１０２として言及されるＨＤＲ加入者局は移動的または静的であってもよく、ここではモデムプールトランシーバ（ＭＰＴ）１０８として言及される１つ以上のＨＤＲ基地局と通信してもよい。アクセスターミナル１０２は１つ以上のモデムプールトランシーバ１０８を通して、ここではモデムプール制御装置（ＭＰＣ）１１０として言及されるＨＤＲ基地局制御装置との間でデータパケットを送受信する。モデムプールトランシーバとモデムプール制御装置はアクセスネットワークと呼ばれるネットワークの一部である。アクセスネットワークは複数のアクセスターミナル間でデータパケットを転送する。アクセスネットワークはアクセスネットワークの外部の、コーポレートイントラネットまたはインターネットのような付加的なネットワークにさらに接続されてもよく、各アクセスターミナルとこのような外部ネットワークとの間でデータパケットを転送してもよい。１つ以上のモデムプールトランシーバとのアクティブトラフィックチャネル接続を確立したアクセスターミナルはアクティブアクセスターミナルと呼ばれ、トラフィック状態にあると言われる。１つ以上のモデムプールトランシーバとのアクティブトラフィックチャネル接続を確立するプロセスにあるアクセスターミナルは接続セットアップ状態にあると言われる。アクセスターミナルは、例えば光ファイバまたは同軸ケーブルを使用して、ワイヤレスチャネルを通してまたはワイヤードチャネルを通して通信する何らかのデータデバイスであってもよい。アクセスターミナルは、さらに、これらには限定されないが、ＰＣカード、コンパクトフラッシュ（登録商標）、外部または内部モデム、あるいはワイヤレスまたはワイヤライン電話を含む多数のタイプのデバイスの任意のものとしてもよい。アクセスターミナル１０２が信号をモデムプールトランシーバ１０８に送信する通信リンクはリバースリンクと呼ばれる。モデムプールトランシーバ１０８が信号をアクセスターミナル１０２に送信する通信リンクはフォワードリンク１０６と呼ばれる。
【０００５】
用語“例示的”は、“例、事例または実例として機能する”ことを意味するようにここでは専ら使用されている。”例示的な実施形態“として説明されている任意の実施形態は、ここで説明されている他の実施形態に対して必ずしも好ましいまたは有利であるものとして解釈されるものではない。
【０００６】
図２は例示的なリバースリンクチャネル構造の図である。リバースリンクチャネルは一連の連続的なリバースリンクフレーム２０２に時間的に分割され、各フレームは一連の連続的なリバースリンクスロット２０４に再分割される。アクセスターミナルはリバースリンクフレームの連続的なストリームを送信し、各リバースリンクフレーム２０２ｂは前のフレーム２０２ａの時間的に最後から始まる。リバースリンクフレームおよびスロットの持続時間は一定であっても、あるいは変化してもよい。例示的な実施形態では、リバースリンクフレームは２６．６７ミリ秒の一定の持続時間を有し、１６のリバースリンクスロット２０４から構成されている。例示的な実施形態では、リバースリンクスロット２０４は１．６６７ミリ秒の一定持続時間を有する。（示されていない）アクセスターミナルは、各タイムスロット２０４中に、パイロット信号、媒体アクセス制御（ＭＡＣ）信号、およびデータ信号を送信してもよい。アクセスターミナルは特定のスロット２０４中に３つの信号のサブセットを送信してもよい。例えば、アクセスターミナルは特定のスロット２０４中でパイロット信号のみを送信し、ＭＡＣまたはデータ信号を送信しなくてもよい。例示的な実施形態では、アクセスターミナルはリバースリンク信号の同位相成分としてパイロットおよびＭＡＣ信号２５０を送信し、リバースリンク信号の直角位相成分としてデータ信号２５２を送信する。
【０００７】
例示的な実施形態では、リバースリンクチャネルのタイプはアクセスチャネルとトラフィックチャネルを含み、このそれぞれはデータチャネル、パイロットチャネル、およびＭＡＣチャネルをさらに含む。ＭＡＣチャネルはリバースデータレート制御（ＤＲＣ）チャネルとリバースレートインジケータ（ＲＲＩ）チャネルを含む。例示的な実施形態では、図３に示されているように、高速アクセスプローブ２４２の第１の部分は高速アクセスプローブプリアンブル２４４であり、この間にパイロット信号２４８が送信される。高速アクセスプローブプリアンブル２４４が送信された後に、アクセスターミナルは高速アクセスプローブ本体２４６を送信し、これはパイロット／ＭＡＣ２５０と、アクセスチャネルデータパケット２５２信号を含む。例示的な実施形態では、高速アクセスプローブ本体２４６の異なる部分は直角位相シフトキーイング（ＱＰＳＫ）を使用して送信される。高速アクセスプローブ２４２のパイロットおよびＭＡＣチャネル信号部分２５０はリバースリンク信号の同位相（Ｉ位相）部分として送信される。高速アクセスプローブ２４２のアクセスチャネルデータパケット２５２部分はリバースリンク信号の直角位相（Ｑ位相）部分として送信される。例示的な実施形態では、アクセスターミナルは高速アクセスプローブ２４２を送信しているときに、リバースＤＲＣチャネルを使用して送信しない。例示的な実施形態では、高速アクセスプローブプリアンブル２４４は１つのフレーム２０２の持続時間を有し、高速アクセスプローブ本体２４６は２つのフレーム２０２の持続時間を有する。代わりに、高速アクセスプローブプリアンブル２４４と高速アクセスプローブ本体２４６の両方の持続時間は上述したものよりもさらに長くてもあるいは短くてもよい。例えば、高速アクセスプローブプリアンブル２４４は２フレーム長であっても、あるいは高速アクセスプローブ本体２４６が１つまたは３つのフレーム長であってもよい。
【０００８】
高速アクセスプローブプリアンブル２４４のさまざまな部分は、代わりに、本発明の範囲を逸脱することなく説明する例示的な実施形態とは異なって配置されてもよい。例えば、パイロット、ＭＡＣおよびアクセスチャネルデータパケット信号は、同位相および直角位相リバースリンク信号成分間で異なって分配され、あるいは時分割多重化された、別々の直交拡散コードを使用して分離することができる。
【０００９】
図４（Ａ）は例示的なフォワードリンクチャネル構造の図である。例示的な実施形態では、（示されていない）モデムプールトランシーバは固定持続時間のタイムスロット３１２でデータを送信する。各タイムスロットは２つの半スロット３１０ａおよび３１０ｂに分割される。例示的な実施形態では、タイムスロットは２０４８シンボルチップの固定長および１．６６７ミリ秒の持続時間を持ち、各半スロットは１０２４シンボルチップの固定長を持つ。しかしながら当業者は、本発明の範囲を逸脱することなく、これらの長さおよび持続時間が時間の経過に対して変化してもよいし、あるいは異なる値を持っていてもよいことを理解するであろう。例示的な実施形態では、９６チップの持続時間を持つデータパイロットバースト３０６が各半スロット３１０の中心で送信される。各フレーム３１２では、モデムプールトランシーバは、後の半スロット３１０ｂの中心で送信されるデータパイロットバースト３０６ｂの直前および直後にＭＡＣチャネル信号３０８を送信する。各タイムスロット３１２の残りの部分３０２はフォワードリンクパケットデータを含む。
【００１０】
図４（Ｂ）は図４（Ａ）の例示的なフォワードリンクチャネル構造の代替実施形態を示している。図４（Ｂ）では、フォワードＭＡＣチャネル３０４の付加的なセットが、最初の半スロット３１０ａ中心で送信されるデータパイロットバースト３０６ａの直前および直後に送信される。
【００１１】
図５はアクセスターミナル（ＡＴ）とモデムプールトランシーバ（ＭＰＴ）との間のフォワードおよびリバースリンクメッセージの例示的な交換を示している図である。アクセスターミナルがアクセスしようとする前の任意の時間において、モデムプール制御装置（ＭＰＣ）は、ユニバーサルアクセスターミナル識別子（ＵＡＴＩ）を含むＵＡＴＩ割当メッセージ４０２をアクセスターミナルに送信することにより、ＵＡＴＩをアクセスターミナルに割り当てる。後にモデムプールトランシーバとの接続を開始するときに、アクセスターミナルは接続要求メッセージを含む高速アクセスプローブ４０４を高速アクセスチャネル上で送信する。高速アクセスプローブプリアンブルを検出したときに、高速アクセスプローブ４０４の高速アクセスプローブ本体部分を受信するのを待つことなく、モデムプールトランシーバは高速アクセスインジケータ４０６を送信する。高速アクセスインジケータを検出すると、アクセスターミナルはリバーストラフィック信号４０８を送信し始める。リバーストラフィック信号４０８はＤＲＣ情報を含み、この情報はモデムプールトランシーバがレート制御データをアクセスターミナルに送信できるようにする。高速アクセスプローブ４０４内に含まれている接続要求メッセージおよびリバーストラフィック信号４０８のデコーディングを完了すると、モデムプールトランシーバは組み合わされたメッセージ４１０を高速接続リバーストラフィックチャネル上で送信する。組み合わされたメッセージ４１０は、アクセス肯定応答メッセージ、トラフィックチャネル割当メッセージ、およびリバーストラフィックチャネル肯定応答メッセージを含む。モデムプールトランシーバはリバーストラフィック信号４０８内でアクセスターミナルからＤＲＣ信号を受信することから、組み合わされたメッセージ４１０は要求されたＤＲＣデータレートで送信することができる。アクセスターミナルが組み合わされたメッセージ４１０を受信した後に、アクセスターミナルはモデムプールトランシーバを通してモデムプール制御装置とデータパケット４１２の交換を開始してもよい。
【００１２】
例示的な実施形態では、高速アクセスチャネルを使用して専ら接続要求メッセージが伝えられる。図５に示されているような例示的な実施形態では、アクセスターミナルは接続要求メッセージ４０４を高速アクセスチャネル上で送信する。例示的な実施形態では、アクセスターミナルは時差的に配置されている複数の高速アクセスチャネルの１つを選択する。時差的な配置に加えて、異なる疑似雑音（ＰＮ）ロングコードマスクを使用してそれぞれをエンコーディングすることにより、異なる高速アクセスチャネルをさらに識別できるようにすることもできる。例えば、高速アクセスチャネルロングコードマスクは、２５６の高速アクセスチャネルに対して個々のＰＮロングコードを提供するために、システム時間値から選択された８ビットを組み込むことができる。代替実施形態では、システム時間値からの３ビットを高速アクセスチャネルロングコードマスクで使用して、８つの高速アクセスチャネルが提供される。
【００１３】
例示的な実施形態では、高速アクセスチャネルを発生させるのに使用されるロングコードマスクは、通常のアクセスチャネルと関係するロングコードマスクと異なる。通常のアクセスチャネル上で送信されるメッセージは登録メッセージを含むことから、アクセスネットワークは、プローブ本体が接続要求メッセージを含むことをプローブプリアンブルから仮定しない。したがって、アクセスネットワークは、通常のアクセスチャネル上で受信されたプローブプリアンブルに応答して高速アクセスインジケータを送信しない。
【００１４】
受信された高速アクセスプローブ４０４のプリアンブル部分を検出すると、モデムプールトランシーバは、高速アクセスプローブ本体のデコーディングを継続しながら、高速アクセスインジケータ４０６を送信する。モデムプールトランシーバは受信された高速アクセスプローブプリアンブルの信号品質をデコーディングしきい値と比較して、高速アクセスインジケータ４０６を送信することにより応答するか否かを決定する。このデコーディングしきい値は慎重に選択されることから、いったん高速アクセスプローブプリアンブルしきい値が合うと、モデムプールトランシーバが後続する高速アクセスプローブ本体をデコードするのに失敗する可能性は少ない。
【００１５】
例示的な実施形態では、フォワードＭＡＣチャネルは複数のコードサブチャネルを含み、それぞれＭＡＣにより識別され、独特な３２アレイウォルシュカバーを使用して送信される。このような実施形態では、高速アクセスインジケータ４０６は、ＭＡＣチャネルに含まれるコードサブチャネルの１つを使用して送信される。コードサブチャネルは代わりに異なる長さのウォルシュカバー、例えば６４アレイまたは１２８アレイのウォルシュカバーを使用してもよい。さらに、他の何らかのチャネル化技術を使用してＭＡＣチャネル内のサブチャネルを識別してもよい。３２アレイウォルシュカバーを使用する実施形態では、利用可能なＭＡＣサブチャネルが１から３１までナンバリングされ、ＭＡＣインデックスｉは３２アレイウォルシュ関数Ｗi32に割り当てられ、Ｗi32は３２アレイウォルシュ関数内の第２のウォルシュコードであり、ウォルシュコードゼロは使用されない。
【００１６】
モデムプールトランシーバは３１ＭＡＣコードサブチャネルのサブセットを使用して、リバース電力制御コマンドをアクセスターミナルに送信する。ＭＡＣコードサブチャネルの利得は正規化され、個々にスケーリングされ、総フォワードＭＡＣチャネル電力を制御する。例示的な実施形態では、これらの利得は、アクティブアクセスターミナルへのリバース電力制御（ＲＰＣ）信号の信頼性ある送信を維持しながら、総ＭＡＣチャネル送信電力の有効利用をするために、時間の経過に対して変化される。
【００１７】
アクセスターミナルとの接続を確立する各モデムプールトランシーバはＲＰＣコードチャネルのセットからのＲＰＣインデックスを割り当てる。ＲＰＣコードチャネルはモデムプールトランシーバのフォワードリンクＭＡＣコードサブチャネルのサブセットを含む。ＲＰＣインデックスは、モデムプールトランシーバからそのアクセスターミナルに向けられるＲＰＣビットストリームを送信するためにモデムプールトランシーバにより使用されるウォルシュカバーを規定する。さらに、ＲＰＣインデックスは、ＲＰＣビットストリームを送信するのに使用される直角位相シフトキーイング（ＱＰＳＫ）変調位相（例えば同位相または直角位相）を規定してもよい。１つのＲＰＣビットが各タイムスロット中で各アクティブアクセスターミナルに送信される。例示的な実施形態では、（図４からの）ＭＡＣチャネル送信３０８ａおよび３０８ｂはそれぞれ６４チップの持続時間を有する。ＲＰＣビットは意図された宛先アクセスターミナルに対応するインデックスｉを有する３２アレイウォルシュ関数の４つのコピーとして送信される。さらに、３２アレイウォルシュ関数の４つのコピーは、各フォワードリンクタイムスロットの２つの６４チップＭＡＣチャネル期間３０８ａおよび３０８と同じ長さを有する。例示的な実施形態では、１秒当たり６００ＲＰＣビットが各アクティブアクセスターミナルに対して送信される。
【００１８】
より高いＲＰＣビットレートまたはＭＡＣコードサブチャネル数は、シンボル反復レートまたは使用されるウォルシュ関数を変更することにより得ることができる。例えば、１秒当たり１２００ビットのＲＰＣビットレートは、４回の代わりに、各スロット中で各ＲＰＣビットを２回反復させることにより達成することができる。あるいは６４ビットウォルシュ関数を使用して異なるアクセスターミナルへのＲＰＣ信号に利用可能なＭＡＣコードサブチャネルの数を２倍にすることができ、各６４ビットウォルシュ関数は（第２のデータパイロットバースト３０６ｂの前および後に）スロットで２回送信される。
【００１９】
図５に戻ると、高速アクセスインジケータ４０６を受信した後に、アクセスターミナルはリバーストラフィック信号４０８の送信を開始する。例示的な実施形態では、リバーストラフィック信号４０８は高速接続リバーストラフィックチャネル上で送信され、リバースリンクヌルトラフィックから構成される。リバースリンクヌルトラフィックは本質的にパイロット信号とＤＲＣ信号から構成され、ユーザデータは含まない。トラフィックチャネル割当を受信する前にリバーストラフィック信号４０８を送信するために、アクセスターミナルはＤＲＣ信号を予め定められた高速接続リバーストラフィックチャネルウォルシュカバーでカバーする。この方法では、リバーストラフィック信号４０８内のＤＲＣ信号は、高速アクセスインジケータ４０６を送信したモデムプールトランシーバに特に向けられる。
【００２０】
予め定められた高速接続リバーストラフィックチャネルウォルシュカバーの使用は、高速接続リバーストラフィックチャネルと非高速接続トラフィックチャネルとの間の１つの差である。例示的な実施形態では、トラフィック状態のアクセスターミナルには、アクセスターミナルの“アクティブセット”中の各モデムプールトランシーバに対して異なるＤＲＣウォルシュコードが提供される。ここで説明するアクティブセットは、通信工業協会標準規格ＴＩＡ／ＥＩＡ−９５−Ｂを含む多くの参考文献で規定されており、技術的によく知られている。アクセスターミナルは、ＤＲＣメッセージを選択されたモデムプールトランシーバに対応するウォルシュコードでカバーすることにより、選択されたモデムプールトランシーバにＤＲＣメッセージを向ける。アクセスターミナルのアクティブセット中の各モデムプールトランシーバは、その対応するＤＲＣウォルシュカバーを使用してアクセスターミナルからのＤＲＣ信号をデカバーする。結果として、選択されたモデムプールトランシーバのみがＤＲＣ信号を正しくデコードし、後続するフォワードリンクタイムスロットでフォワードリンクデータをアクセスターミナルに送信することができる。特定のモデムプールトランシーバに向けられたＤＲＣメッセージシンボルは対応するウォルシュコードと排他的論理和（ＸＯＲ）が取られる。アクセスターミナルからＤＲＣメッセージを受信するとき、モデムプールトランシーバは、アクセスターミナルに対するモデムプールトランシーバに割り当てられたウォルシュコードを使用して同じＸＯＲ演算を実行する。移動局のアクティブセット中の各モデムプールトランシーバは独特なウォルシュコードにより識別されることから、選択された宛先モデムプールトランシーバのみがＤＲＣメッセージを正しくデコードすることができる。
【００２１】
しかしながら、トラフィックチャネルを確立するのに使用されるメッセージはアクティブセットが識別される前に、そしてアクセスターミナルが何らかのモデムプールトランシーバに対するウォルシュコード割当を受信する前に送信される。予め定められた高速接続リバーストラフィックチャネルウォルシュカバーは、アクセスターミナルとモデムプールトランシーバの両方に知られている。この高速接続リバーストラフィックチャネルウォルシュカバーを使用して、アクセスターミナルは、トラフィックチャネルを確立する前に、ＤＲＣメッセージをモデムプールトランシーバに送信する。これはトラフィックチャネルを確立する前に、モデムプールトランシーバが、制御されたレートでフォワードリンクメッセージをアクセスターミナルに送信できるようにする。このようなプリトラフィックチャネルメッセージは、アクセスプローブ肯定応答メッセージ、リバーストラフィックチャネル肯定応答メッセージ、トラフィックチャネル割当メッセージを含む。
【００２２】
制御されたレートは一般的に通常のページングチャネルおよび他のフォワード制御チャネルの制御されていないレートよりも高い。通常のページングチャネルおよび他のフォワード制御チャネルはすべてのアクセスターミナル間で共有されることから、低いデータレートで送信され、最悪の干渉条件下で動作しているアクセスターミナルによってさえ適切なデコーディングができるようにする。この理由のために、フォワードリンク上での制御されたレートメッセージの送信はさらに有効であり、フォワードリンク容量の消費が少ない。アクセスターミナルはＤＲＣ信号をリバースリンク上で送信している間でさえ、モデムプールトランシーバは依然として、レート制御されたチャネルの代わりに、制御されていないレートチャネルを使用して、フォワードリンクメッセージをアクセスターミナルに送信することを選択するかもしれない。例えば、モデムプールトランシーバは、フォワード制御チャネルを使用して、アクセス肯定応答メッセージ、トラフィックチャネル割当メッセージ、またはリバーストラフィックチャネル肯定応答メッセージを送信することを選択するかもしれない。したがって、高速接続リバーストラフィックチャネル上でＤＲＣメッセージを送信している間でさえ、アクセスターミナルは通常のページングチャネルおよびフォワード制御チャネルを監視し続ける。
【００２３】
高速アクセスインジケータ４０６を送信するとき、モデムプールトランシーバは高速アクセスプローブ４０４の高速アクセスプローブ本体部分を受信し続ける。高速アクセスプローブ４０４のすべての部分のデコーディングに成功したときには、モデムプールトランシーバはアクセスプローブ肯定応答メッセージを送信する。アクセスプローブ肯定応答メッセージは、アクセスプローブ４０４の完全なデコーディングの成功を示す。
【００２４】
例示的な実施形態では、アクセスターミナルは、アクセスネットワークへの接続を確立する前にユニバーサルアクセスターミナル識別子（ＵＡＴＩ）に割り当てられる。ＵＡＴＩはモデムプール制御装置内の特定のリソース、例えばモデムプール制御装置中のリバースリンクプロトコル（ＲＬＰ）状態エントリに関係している。モデムプールトランシーバはＵＡＴＩを割り当てないが、アクセスターミナルから受信された後に、モデムプール制御装置に転送される何らかのトラフィック状態メッセージを持つＵＡＴＩを含む。例示的な実施形態では、ＵＡＴＩはまたワイヤレスネットワーク内のモデムプールトランシーバのインターネットプロトコル（ＩＰ）アドレスであり、アクセスターミナルがトラフィック状態から離れた後でさえ、アクセスターミナルに割り当てられたままである。アクセスターミナルが新しい接続を確立したとき、前に獲得されたＵＡＴＩは高速アクセスプローブ４０６内の接続要求メッセージで送信することができる。モデムプール制御装置がＵＡＴＩに関係するネットワークリソースを再割り当てしていない場合には、同じリソースを新しい接続のためにアクセスターミナルにすぐに再割り当てすることができる。これは、アクセスターミナルが高速接続リバーストラフィックチャネルを通して、単なるヌルトラフィックの代わりに、リバースリンクデータを送信できるようにする。アクセスターミナルはＩＰアドレスと等価なＵＡＴＩを既に持っていることから、アクセスターミナルがトラフィックチャネル割当を受信する前であってもそのＵＡＴＩを伝えるリバースリンクパケットをルーティングすることができる。
【００２５】
例示的な実施形態では、接続要求メッセージはＵＡＴＩを含む。高速アクセスプローブ４０６中の接続要求メッセージからのＵＡＴＩのデコーディングに成功した後に、モデムプールトランシーバは、アクセスターミナルにより使用されるリバースリンクＰＮロングコードを決定し、リバーストラフィック信号４０８を獲得することができる。いったんリバーストラフィック信号４０８の獲得に成功すると、モデムプールトランシーバはＤＲＣメッセージをデコードし、要求されたＤＲＣレートで、アクセスプローブ肯定応答メッセージ、リバーストラフィックチャネル肯定応答メッセージ、およびトラフィックチャネル割当メッセージを送信することができる。アクセスネットワークは、トラフィックチャネルを実際に割り当てる前または後にトラフィックチャネル割当メッセージを送信することができる。
【００２６】
例示的な実施形態では、モデムプールトランシーバは、アクセスプローブ肯定応答メッセージ、リバーストラフィックチャネル肯定応答メッセージおよびトラフィックチャネル割当メッセージを個々に送信してもよく、あるいはメッセージの２つまたはそれ以上を１つのフォワードリンクメッセージに組み合わせてもよい。フォワードリンクメッセージはフォワード共通制御チャネルを通して、あるいはフォワードレート制御共通チャネルを通して送信される。フォワード共通制御チャネルは一定の比較的低いデータレートで送信される。フォワードレート制御共通チャネルのデータレートは、高速接続リバーストラフィックチャネルを通して送信されるＤＲＣメッセージにしたがって決定される。
【００２７】
例示的な実施形態では、フォワードレート制御共通チャネルは、予め定められたフォワードレート制御共通チャネルウォルシュコードを使用してフォワード共通制御チャネルから識別される。このウォルシュコードを使用して、フォワードレート制御共通チャネルを通して送信されるフォワードリンクメッセージのプリアンブルをカバーする。この方法では、高速接続リバーストラフィックチャネル上でＤＲＣメッセージを送信するアクセスターミナルは、他のアクセスターミナルへのフォワードトラフィックチャネル送信から、対応するフォワードリンク応答を識別することができる。例示的な実施形態では、モデムプールトランシーバは３２アレイウォルシュカバーを使用して、他のフォワードトラフィックチャネルからフォワードレート制御共通チャネルを識別する。代わりに、より長いまたはより短いウォルシュカバーを使用してもよい。
【００２８】
リバーストラフィック信号４０８を獲得した後に、モデムプールトランシーバはリバーストラフィック信号４０８で受信されたＤＲＣ情報をデコードすることができる。モデムプールトランシーバは、受信されたＤＲＣ信号により特定されるデータレートでフォワードレート制御共通チャネルを使用して、フォワードリンクメッセージをアクセスターミナルに送信する。例示的な実施形態では、モデムプールトランシーバは、フォワードレート制御共通チャネルを通して、組み合わされたフォワードリンクメッセージ４１０内で３つすべてのメッセージ（アクセスプローブ肯定応答、トラフィックチャネル割当およびリバーストラフィックチャネル肯定応答）を送信する。特定のＤＲＣデータレートが十分に速い場合には、組み合わされたフォワードリンクメッセージ４１０は、１つのフォワードリンクフレームでおそらく１つのフォワードリンクタイムスロット内でさえ送信される。
【００２９】
いったんアクセスターミナルがリバーストラフィックチャネル肯定応答メッセージおよびトラフィックチャネル割当メッセージを受信すると、アクセスターミナルはトラフィックチャネル上で送受信し始める。トラフィックチャネル割当メッセージは各ＤＲＣウォルシュカバーを特定し、このＤＲＣウォルシュカバーは、アクセスターミナルがＤＲＣメッセージをそのアクティブセット中の各モデムプールトランシーバに向ける際に使用しなければならないものである。高速接続リバーストラフィックチャネル信号に対して使用されるウォルシュカバーをトラフィックチャネル送信に使用してもよいし、あるいはトラフィックチャネル割当メッセージで特定してもよい。
【００３０】
図６は高速アクセスインジケータチャネルおよび３つの時差的に配置された高速アクセスチャネルに対する例示的な構造を示している図である。２つの高速アクセスプローブ期間５０２が３つの独立した高速アクセスチャネルのそれぞれに対して示されている。高速アクセスプローブ期間５０２ａおよび５０２ｄは第１の高速アクセスチャネルに対応している。高速アクセスプローブ期間５０２ｂおよび５０２ｅは第２の高速アクセスチャネルに対応している。高速アクセスプローブ期間５０２ｃおよび５０２ｆは第３の高速アクセスチャネルに対応している。
【００３１】
例示的な実施形態では、高速アクセスチャネルは時差的に配置されているので、複数のリバースリンクフレームにわたる高速アクセスプローブ５０２は何らかの高速アクセスプローブ境界５０８の始めに送信される。異なるロングコードマスクを異なる高速アクセスチャネルのそれぞれに使用して、モデムプールトランシーバが受信された異なるチャネルを識別できるようにする。例示的な実施形態では、８ビットがシステム時間から抽出され、高速アクセスチャネル信号を発生させるのに使用されるＰＮロングコードマスクが形成される。８ビットを使用することによりモデムプールトランシーバが２５６の高速アクセスチャネルのできるだけ多くの上でプローブを受信できるようにし、この２５６の高速アクセスチャネルはそれぞれ異なるロングコードマスクを持つ。当業者は上述した技術を代替的に使用して、より多くの数またはより少ない数の高速アクセスチャネルとともに使用するためのより多いまたはより少ないセットのロングコードマスクを生成してもよいことを理解するのであろう。
【００３２】
先に説明したように、モデムプールトランシーバは時差的に配置されている複数の高速アクセスチャネルを通してアクセスターミナルから接続要求メッセージを受信してもよい。例示的な実施形態では、１つの高速アクセスインジケータチャネルを使用し、すべての高速アクセスチャネル上で受信されたアクセスプローブプリアンブルに応答して高速アクセスインジケータを送信する。アクセスターミナルは、高速アクセスインジケータチャネル上で送信される信号のタイミングに基づいてどの高速アクセスチャネルが肯定応答されているかを決定する。言い換えると、高速アクセスインジケータチャネルは、時差的に配置された異なる高速アクセスチャネルに対応する高速アクセスインジケータを送信するために、時間領域多重化される。
【００３３】
例示的な実施形態では、高速アクセスインジケータはＭＡＣコードサブチャネルに関係する高速アクセスインジケータウォルシュコードを使用してカバーされ、このＭＡＣコードサブチャネルはもっぱら高速アクセスインジケータを送信するために確保されている。例示的な実施形態では、高速アクセスチャネルは固定されたオフセット、すなわち“スタガー距離”を使用して時差的に配置されている。例えばスタガー距離は１フレーム（１６タイムスロット）または２フレーム（３２タイムスロット）または８タイムスロットのような１フレームよりも短い距離であってもよい。高速アクセスインジケータチャネルは、スタガー距離５０６に等しい持続時間を有する個々の高速アクセスインジケータスロット５０４に時分割多重化される。図６に示されている例示的な実施形態では、高速アクセスプローブプリアンブルの持続時間は１フレームであり、スタガー距離５０６に等しい。したがって、１つの高速アクセスインジケータスロット５０４が、各高速アクセスチャネル上で受信される高速アクセスプローブプリアンブルに対する応答のために利用可能である。高速アクセスインジケータスロット５０４はリバースリンクフレーム境界５０８上のちょうど始まりおよび終わりとして示されているが、モデムプールトランシーバ中でアクセスプローブプリアンブルを処理する時間を許容するためにオフセットされてもよい。例えば高速アクセスインジケータスロット５０４ａの始まりは前のフレーム境界５０８ａよりも１または２タイムスロット遅く始まってもよい。図６に示されている例示的な実施形態では、高速アクセスインジケータスロット５０４ｂ中で送信される高速アクセスインジケータは、（５０８ａおよび５０８ｂから）すぐに先行する高速アクセスプローブプリアンブル期間中で受信された高速アクセスプローブプリアンブルに対応する。
【００３４】
例示的な実施形態では、高速アクセスインジケータは、高速アクセスインジケータウォルシュコードでカバーされ、高速アクセスインジケータスロット５０４の各フォワードリンクタイムスロット中で反復される１ビットである。高速アクセスチャネル上で高速アクセスプローブプリアンブルが検出されないときには、モデムプールトランシーバは、高速アクセスインジケータウォルシュコードでカバーされ、関係する高速アクセスインジケータスロット５０４中で送信されたビットの符号を反転させる。代わりに、高速アクセスチャネル上で高速アクセスプローブプリアンブルが検出されないときには、モデムプールトランシーバは関係する高速アクセスインジケータスロット５０４中で信号を送信しないか、あるいはほぼゼロ電力で高速アクセスインジケータ信号を送信する。
【００３５】
図７は例示的な高速アクセスプローブメッセージシーケンスを示す図である。アクセスターミナルは接続要求メッセージを含む高速アクセスプローブ４０４を高速アクセスチャネル上で送信する。高速アクセスプローブ４０４は高速アクセスプローブ本体がその後に続く高速アクセスプローブプリアンブルを含む。高速アクセスプローブプリアンブルを検出すると、モデムプールトランシーバは高速アクセスインジケータ４０６を高速アクセスインジケータチャネル上で送信する。高速アクセスプローブ４０４の送信が完了し、高速アクセスインジケータ４０６を受信すると、アクセスターミナルはリバーストラフィック信号４０８を送信し始める。先に説明したように、アクセスターミナルがトラフィックチャネル割当を受信するまで、リバーストラフィック信号４０８は、予め定められたＤＲＣウォルシュカバーを有する高速接続リバーストラフィックチャネルを通して送信される。
【００３６】
例示的な実施形態では、トラフィックチャネルを割り当て、リバーストラフィック信号４０８を獲得すると、モデムプールトランシーバはアクセスターミナルに対して、アクセスプローブ肯定応答メッセージ、トラフィックチャネル割当メッセージ、およびリバーストラフィックチャネル肯定応答メッセージを含む組み合わされたメッセージ４１０を送信する。先に説明したように、組み合わされたメッセージ４１０はアクセスターミナルから受信したＤＲＣ信号で特定されたレートで高速接続リバーストラフィックチャネル上において送信される。例えば組み合わされたメッセージ４１０の一部として、トラフィックチャネル割当を送信した後に、モデムプールトランシーバはフォワードリンクトラフィック６０４をフォワードリンクトラフィックチャネル上で送信し始める。例えば、組み合わされたメッセージ４１０の一部として、リバーストラフィックチャネル肯定応答メッセージを受信した後に、アクセスターミナルはデータ６０２をリバースリンクトラフィックチャネル上で送信し始める。
【００３７】
図８は高速アクセスチャネルを使用して接続を確立する例示的なアクセスターミナルプロセスのフローチャートである。先に説明したように、ステップ７０２では、アクセスターミナルは接続を確立する前にアクセスネットワークからユニバーサルアクセスターミナル識別子（ＵＡＴＩ）を獲得する。次にステップ７０４において、新しい接続を確立する際に、アクセスターミナルは高速アクセスプローブをターゲットモデムプールトランシーバの高速アクセスチャネル上で送信する。高速アクセスプローブは、接続要求メッセージを含む高速アクセスプローブ本体が後続する高速アクセスプローブプリアンブルを含む。例示的な実施形態では、アクセスターミナルは、ターゲットモデムプールトランシーバが高速アクセスプローブ送信をサポートしているか否かを決定するために、高速アクセスプローブを送信する前にターゲットモデムプールトランシーバにより送信されるフォワードリンクチャネルを監視する。
【００３８】
高速アクセスプローブプリアンブルをデコードすると、ターゲットモデムプールトランシーバは高速アクセスインジケータを送信し、この高速アクセスインジケータは高速アクセスプローブの少なくとも最初の部分のデコードに成功したことを示す。ステップ７０６において、アクセスターミナルはフォワードリンク高速アクセスインジケータチャネルを監視して、ターゲットモデムプールトランシーバが対応する高速アクセスインジケータを送信するか否かを決定する。例示的な実施形態では、アクセスターミナルは、高速アクセスインジケータ信号を送信するのに専用の３２アレイウォルシュ関数を使用して関係するフォワードリンクＭＡＣコードサブチャネルをデカバーすることにより、高速アクセスインジケータチャネル上の信号を検出する。例示的な実施形態では、アクセスターミナルは、高速アクセスプローブプリアンブルを送信した直後の予め定められた期間中に複数のＭＡＣコードサブチャネルの１つから高速アクセスインジケータをデコードするように試みる。
【００３９】
ステップ７０６において、アクセスターミナルが高速アクセスプローブプリアンブルに対応する高速アクセスインジケータを検出した場合には、ステップ７０８において、アクセスターミナルは高速接続リバーストラフィックチャネル信号を送信し始める。ステップ７０８において高速接続リバーストラフィックチャネル信号を送信している間に、アクセスターミナルはまた、フォワードレート制御共通チャネルを通して信号が受信されるデータレートを要求するＤＲＣ信号を送信する。高速接続リバーストラフィックチャネル信号を送信している間７０８、アクセスターミナルはフォワードリンクを監視し、トラフィックチャネル接続を確立するのに使用される付加的なメッセージをデコードしようと試みる。アクセスターミナルはフォワードレート制御共通チャネルとフォワード共通制御チャネルの両方を監視して、ステップ７１０において、アクセス肯定応答をデコードし、ステップ７１２において、トラフィックチャネル割当をデコードし、またはステップ７１４において、リバーストラフィックチャネル肯定応答メッセージ（ＲＴＣ−ＡＣＫ）をデコードする。先に説明したように、これら３つのメッセージは特定されたＤＲＣデータレートでフォワードレート制御共通チャネルを通して個々にあるいは組み合わされたメッセージで受信される。ステップ７２２において、リバーストラフィックチャネル肯定応答のデコードが成功すると、アクセスターミナルはステップ７２４においてトラフィック状態に入り、モデムプールトランシーバを通してデータパケットの送受信を開始することができる。
【００４０】
例示的な実施形態では、アクセスターミナルは予め定められた量の時間を待って、アクセス肯定応答メッセージ、トラフィックチャネル割当メッセージおよびリバーストラフィックチャネル肯定応答メッセージのそれぞれを受信する。予め定められたタイムアウト期間内にメッセージが受信されない場合には、アクセスターミナルは中止し、ステップ７０４において別のアクセスプローブを送信する。異なるメッセージのそれぞれに関係するタイムアウト値は同じであってもよいし、あるいは異なっていてもよい。例えば、アクセスターミナルは、トラフィックチャネル割当に関係するタイムアウト期間よりも長い、リバーストラフィックチャネル肯定応答に関係するタイムアウト期間を有していてもよい。結果として、いずれのメッセージも受信されない場合には、トラフィックチャネル割当に関係するタイムアウト期間が経過したときに、アクセスターミナルは中止する。
【００４１】
アクセスターミナルはステップ７１０においてアクセス肯定応答タイムアウトの経過をチェックし、次にステップ７１２においてトラフィックチャネル割当タイムアウトの経過をチェックし、最後にステップ７１４において、リバーストラフィックチャネル肯定応答タイムアウトの経過をチェックする。アクセス肯定応答タイムアウトがステップ７１０において経過すると、アクセスターミナルは中止し、７０４を開始する。トラフィックチャネル割当タイムアウトが経過すると７１２、アクセスターミナルは中止し、ステップ７０４において他の高速アクセスプローブを送信する。ステップ７１４において、リバーストラフィックチャネル肯定応答タイムアウトが経過した場合には、アクセスターミナルは中止し、ステップ７０４において別の高速アクセスプローブを送信する。タイムアウトチェックの順序は異なるタイムアウト値に依存し、説明した実施形態から逸脱することなく異なっていてもよい。例示的な実施形態では、３つのメッセージの任意のものに対するタイムアウトが経過した後に、アクセスターミナルはステップ７０４において高速アクセスプローブの代わりに、通常のアクセスプローブを送信する。
【００４２】
ステップ７０６において、アクセスターミナルが対応する高速アクセスインジケータを検出しない場合には、アクセスターミナルはリバースリンクトラフィックチャネル信号を送信しない。アクセスターミナルはＤＲＣ信号を送信していないことから、アクセスターミナルはフォワードリンクメッセージに対するフォワードレート制御共通チャネルを監視しない。代わりに、アクセスターミナルは、トラフィックチャネル接続を確立するのに使用される付加的なメッセージをデコードするためにフォワード制御チャネルを監視する。アクセスターミナルはステップ７１６においてアクセス肯定応答をデコードしようと試み、ステップ７１８においてトラフィックチャネル割当メッセージをデコードしようと試みる。ステップ７１８においてトラフィックチャネル割当メッセージのデコードに成功すると、アクセスターミナルはステップ７２０において受信されたトラフィックチャネル割当で特定されたトラフィックチャネルパラメータを使用してリバースリンクトラフィックチャネルを送信し始める。その後、ステップ７２２において、アクセスターミナルはフォワードリンクトラフィックチャネル上またはフォワード制御チャネル上のリバーストラフィックチャネル肯定応答をデコードする。ステップ７２２において、リバーストラフィックチャネル肯定応答のデコードが成功したときには、アクセスターミナルはステップ７２４においてトラフィック状態に入り、モデムプールトランシーバを通してデータパケットの送受信を開始することができる。
【００４３】
アクセスターミナルが、予め定められたタイムアウト期間内に、アクセス肯定応答、トラフィックチャネル割当またはリバーストラフィックチャネル肯定応答のデコードに失敗した場合には、アクセスターミナルは中止し、ステップ７０４において別の高速アクセスプローブを送信する。代わりに、最初のアクセス試行に失敗した後に、アクセスターミナルは高速アクセスプローブの代わりに通常のアクセスプローブを使用して第２のアクセス試行をしてもよい。
【００４４】
図９は高速アクセスチャネルを使用して接続を確立するための例示的なモデムプールトランシーバプロセスのフローチャートである。ステップ８０２において、高速アクセスチャネル上でアクセスターミナルから高速アクセスプローブプリアンブルを受信すると、ステップ８０４において、モデムプールトランシーバは高速アクセスインジケータを送信する。先に説明したように、複数のＭＡＣコードサブチャネルのうちの１つを使用して高速アクセスインジケータが送信されてもよい。
【００４５】
高速アクセスインジケータを送信している間に、ステップ８０６において、モデムプールトランシーバは、高速アクセスプローブのデコーディングを完了するために、ステップ８０６において、高速アクセスプローブ本体をデコードし続ける。ステップ８０８において、高速アクセスプローブ本体内の有効な接続要求メッセージのデコードが成功すると、ステップ８１０において、モデムプールトランシーバはアクセスターミナルにより送信される高速接続リバーストラフィックチャネル信号を獲得しようと試みる。対応する高速接続リバーストラフィックチャネル信号を獲得すると、モデムプールトランシーバはＤＲＣ情報を抽出して、アクセスターミナルにより要求されたフォワードデータレートを決定する。アクセスターミナルに送信されるフォワードリンクメッセージはその後に、要求されたＤＲＣデータレートで送信される。これらのメッセージはアクセス肯定応答、トラフィックチャネル割当、およびリバーストラフィックチャネル肯定応答を含む。モデムプールトランシーバはこれらのメッセージを個々にあるいは１つのメッセージに組み合わせて送信する。先に説明したように、モデムプールトランシーバはフォワードレート制御共通チャネルまたはフォワード制御チャネルを使用してこれらのメッセージを送信する。例示的な実施形態では、ステップ８２０において、モデムプールトランシーバは３つすべてのメッセージを１つの組み合わされたメッセージとしてフォワードレート制御共通チャネルを通して送信する。リバーストラフィックチャネル肯定応答を個々にあるいは組み合わされたメッセージで送信した後に、モデムプールトランシーバはステップ８２２においてトラフィック状態に入る。
【００４６】
モデムプールトランシーバはステップ８１０において高速接続リバーストラフィックチャネルを獲得しない場合には、次にステップ８１２において、モデムプールトランシーバはアクセスプローブ肯定応答を送信し、ステップ８１４において、受信したアクセスプローブに応答してトラフィックチャネル割当を送信する。モデムプールトランシーバはその後トラフィックチャネル割当で特定されたリバーストラフィックチャネルを監視する。ステップ８１６においてリバーストラフィックチャネルを獲得すると、モデムプールトランシーバはステップ８１８においてリバーストラフィックチャネル肯定応答を送信し、ステップ８２２においてトラフィック状態に入る。ステップ８１６においてリバーストラフィックチャネルの獲得に失敗すると、モデムプールトランシーバは中止し、ステップ８０２においてアクセスプローブの検出の試行を再開する。
【００４７】
図１０は例示的なアクセスターミナル装置を示している。例示的な装置では、パイロット、リバースレートインジケータ（ＲＲＩ）、ＤＲＣおよびデータ信号は、信号ポイント（ＳＰ）マッピングユニット９０２で信号ポイントマッピングされる。例示的な実施形態では、ＳＰマッピングユニット９０２は２位相マッピングを実行し、０、１を＋１、−１にそれぞれ変換する。ＤＲＣ信号はミキサ９０４においてＤＲＣカバーを使用してカバーされる。アクセスターミナルがトラフィック状態に入っているときには、ＤＲＣカバーは最大ＤＲＣレートを有する選択されたモデムプールトランシーバに対応する。アクセスターミナルがトラフィック状態に入っていないが、高速接続リバーストラフィックチャネルを通して送信しているときには、ＤＲＣカバーは予め定められた高速接続リバーストラフィックチャネルウォルシュカバーである。
【００４８】
例示的な実施形態では、パイロット信号は一定値を有するので、対応するＳＰマッピングユニット９０２ｂは省略される。結果的なパイロット、ＲＲＩおよびＤＲＣ信号は時分割多重化（ＴＤＭ）モジュール９０８で時分割多重化される。代わりに、ミキサ９０４をＸＯＲユニットで置換して、ＤＲＣ信号ポイントマッピングユニット９０２ａをＸＯＲユニットとＴＤＭモジュール９０８との間に移動させてもよい。ミキサ９０４をＸＯＲユニットで置換した場合には、ＴＤＭモジュール９０８とＰＮ拡散器９１０との間に１つの信号ポイントマッピングユニットが代わりに存在するように、信号ポイントマッピングユニット９０２を移動させてもよい。
【００４９】
代替実施形態では、ＤＲＣ信号はパイロットおよびＲＲＩ信号で時分割多重化されない。代わりに、パイロットおよびＲＲＩ信号は時間領域多重化され、結果的な多重化信号は第１のウォルシュコードにより乗算される。ＤＲＣ信号は第１のウォルシュコードに直交する第２のウォルシュコードにより乗算される。結果的なウォルシュ拡散ＤＲＣ信号はウォルシュ拡散パイロットおよびＲＲＩ信号に加えられ、ＰＮ拡散器９１０で拡散される信号を形成する。代替実施形態では、ウォルシュ拡散ＤＲＣ信号はウォルシュ拡散パイロットおよびＲＲＩ信号に対して個々に利得制御される。
【００５０】
多重化信号はＰＮ拡散器９１０への入力の同位相（Ｉ’）成分を構成する。代替実施形態では、パイロット、ＲＲＩおよびＤＲＣ信号は例えば異なる直交ウォルシュコードを使用してコード多重化される。データ信号はＰＮ拡散器９１０への入力の直角位相（Ｑ’）成分を構成する。当業者はパイロット、ＲＲＩ、ＤＲＣおよびデータ信号を、示されているものとは異なる組み合わせで配置して、Ｉ’およびＱ’信号を形成してもよいことを理解するであろう。また、パイロット、ＲＲＩ、ＤＲＣおよびデータ信号のいくつかまたはすべてをＩ’およびＱ’信号の両方に加えてもよい。複素ＰＮ発生器９２８は同位相成分（ＰＮI）および直角位相成分（ＰＮQ）を有する複素ＰＮコードを発生させる。実施形態では、ＰＮ拡散器９１０は以下の式にしたがって複素ＰＮコードＰＮIおよびＰＮQにより複素入力Ｉ’およびＱ’を複素乗算する。
【００５１】
Ｉ＝Ｉ’ＰＮI−Ｑ’ＰＮQ
Ｑ＝Ｉ’ＰＮQ＋Ｑ’ＰＮI
代替実施形態では、ＰＮ拡散器９１０は以下の式にしたがって１つの実ＰＮシーケンスにより複素入力Ｉ’およびＱ’を乗算する。
【００５２】
Ｉ＝Ｉ’ＰＮ
Ｑ＝Ｑ’ＰＮ
代わりに、他の複素または実乗算式を使用してもよい。当業者は複素または実ＰＮコードをさまざまな方法で発生させてもよいことを理解するであろう。
【００５３】
ＰＮ拡散器９１０の出力はＩおよびＱ成分を有する複素信号である。これらの成分のそれぞれは、示されているようにミキサ９１４でアップコンバートされる前に、ベースバンドフィルタ９１２を使用してフィルタされる。ミキサ９１４の出力は合計器９１６において加算され、増幅器９１８において増幅されてアクセスターミナルアンテナ９２０を通して送信されるリバースリンク信号が形成される。
【００５４】
図１１および図１２は例示的なモデムプールトランシーバ装置を示している。例示的な装置では、ＲＰＣおよび高速アクセスインジケータビットは信号ポイント（ＳＰ）マッピングユニット１００２において信号ポイントマッピングされる。例示的な実施形態では、ＳＰマッピングユニット１００２は２位相マッピングを実行し、０、１を＋１、−１にそれぞれ変換する。
【００５５】
アクセスターミナルに対する信号ＰＡポイントマッピングされたＲＰＣビットは利得ブロック１００３ａで利得制御される。利得ブロック１００３ａの出力で生成される利得制御されたＲＰＣ信号はミキサ１００４においてＲＰＣウォルシュカバーと混合される。ＲＰＣウォルシュカバーは宛先アクセスターミナルに割り当てられたＭＡＣコードチャネルに対応する。１つのＲＰＣコードチャネルに必要な利得ブロック１００３ａとミキサ１００４のみが示されているが、モデムプールトランシーバ内の複数のＲＰＣコードチャネルに対応するのに必要なようにこれらの構成要素を反復してもよい。当業者は、本発明の範囲を逸脱することなく、利得ブロック１００２およびミキサ１００４を逆にして、利得調整の前に混合を発生させてもよいことを理解するであろう。
【００５６】
信号ポイントマッピングされた高速アクセスインジケータビットは利得ブロック１００３ｂにおいて利得制御される。先に説明したように、モデムプールトランシーバは高速アクセスプローブプリアンブルの受信に応答して、高速アクセスインジケータビットを送信する。利得ブロック１００３ｂの出力で生成される利得制御された高速アクセスインジケータ信号はミキサ１００４において高速アクセスインジケータウォルシュカバーと混合される。例示的な実施形態では、高速アクセスインジケータに対して使用されるウォルシュカバーはＲＰＣ信号に対して使用されるウォルシュカバーに対して直交している。
【００５７】
例示的な実施形態では、ＲＰＣおよび高速アクセスインジケータ信号はウォルシュコード以外のコードを使用してコード多重化される。他の実施形態では、ＲＰＣおよび高速アクセスインジケータ信号は時分割多重化される。
【００５８】
高速アクセスインジケータ信号およびすべてのＲＰＣ信号を含む、ウォルシュカバーされたＭＡＣコードチャネル信号は合計器１００８において相互に合計される。結果として得られる合計信号はリピータ１０１０において反復され、パイロットバースト（図４の３０６）のいずれかのサイドでＭＡＣチャネル（図４の３０８）を送信するための適切な数のチップを提供する。リピータ１０１０により出力されるＭＡＣチャネルシンボルは、時間領域多重化ＴＤＭブロック１０１２においてパイロットおよびデータチャネルと多重化される。ＴＤＭブロック１０１２により出力される多重化信号ストリームはＰＮ拡散器１０５０において複素ＰＮコードにより乗算される。実施形態では、ＰＮ拡散器１０５０は以下の式にしたがって複素ＰＮコードＰＮIおよびＰＮQにより複素入力Ｉ’およびＱ’を複素乗算する。
【００５９】
Ｉ＝Ｉ’ＰＮI−Ｑ’ＰＮQ
Ｑ＝Ｉ’ＰＮQ＋Ｑ’ＰＮI
代替実施形態では、ＰＮ拡散器１０５０は以下の式にしたがって１つの実ＰＮシーケンスにより複素入力Ｉ’およびＱ’を乗算する。
【００６０】
Ｉ＝Ｉ’ＰＮ
Ｑ＝Ｑ’ＰＮ
代わりに、他の複素または実乗算式を使用してもよい。当業者は複素または実ＰＮコードをさまざまな方法で発生させてもよいことを理解するであろう。
【００６１】
ＰＮ拡散器１０５０により出力される結果として得られる複素積は、ベースバンドフィルタ１０５２においてそれぞれフィルタされ、その後ミキサ１０５６においてアップコンバートされるＩおよびＱ成分を含む。ミキサ１０５６により出力されるアップコンバートされた信号は合計器１０５８において相互に加えられ、増幅されモデムプールトランシーバにより送信されるフォワードリンク信号を形成する。
【００６２】
例示的な実施形態の先の説明は当業者が本発明を作りまたは使用できるように提供されている。これらの実施形態に対するさまざまな改良は当業者に容易に明らかになるであろう。ここで規定されている一般的な原理は発明力を使用することなく他の実施形態に適用してもよい。例えば、３２アレイウォルシュ関数に関して実施形態が説明されている場合、１６アレイまたは６４アレイウォルシュ関数、あるいは他のタイプの直交関数のような他の任意のｎアレイウォルシュ関数に容易に置換することができる。また、複素ＰＮコードおよび複素ＰＮ拡散器はより簡単な実ＰＮコードおよびＰＮ拡散器で置換することができる。
【００６３】
例示的な実施形態の構成要素は本発明の柔軟性を例示するために一般的な用語で説明されている。それぞれ説明されている構成要素は、汎用マイクロプロセッサ、デジタル信号プロセッサ（ＤＳＰ）、プログラム可能な論理デバイス、特定用途向け集積回路（ＡＳＩＣ）、あるいはここで説明されている機能を実行するように設計された他の任意のデバイスのうちの１つまたは組み合わせを使用して実現することができる。アクセスターミナルとモデムプールトランシーバはワイヤレス通信システムに関して説明されているが、本発明は光ファイバまたは他の有線技術により接続されたアクセスターミナルと、モデムプールトランシーバとを使用するネットワークで利用してもよい。
【００６４】
したがって、本発明はここで示されている実施形態に限定されることを意図しているものではなく、ここで開示されている原理および新規な特徴と矛盾しない最も広い範囲にしたがうべきである。
【図面の簡単な説明】
【００６５】
【図１】図１は、ＨＤＲ通信システムの図である。
【図２】図２は、リバースリンクフレームおよびタイムスロットチャネル構造の図である。
【図３】図３は、リバースリンクアクセスプローブ構造の図である。
【図４】図４は、フォワードリンクチャネル構造の図である。
【図５】図５は、アクセスターミナルとアクセスネットワークとの間の接続を確立するのに使用されるメッセージの交換を示す図である。
【図６】図６は、時差的に配置された高速アクセスチャネルおよび高速アクセスインジケータチャネルの構造を示す図である。
【図７】図７は、高速アクセスプローブメッセージシーケンスを示す図である。
【図８】図８は、高速アクセスチャネルを使用して接続を確立するためのアクセスターミナルプロセスを示すフローチャートである。
【図９】図９は、高速アクセスチャネルを使用して接続を確立するためのモデムプールトランシーバプロセスのフローチャートである。
【図１０】図１０は、アクセスターミナル装置を示している。
【図１１】図１１は、モデムプールトランシーバ装置を示している。
【図１２】図１２は、モデムプールトランシーバ装置を示している。
【図１】
2008295038.tif 000003
【図２】
2008295038.tif 000004
【図３】
2008295038.tif 000005
【図４】
2008295038.tif 000006
【図５】
2008295038.tif 000007
【図６】
2008295038.tif 000008
【図７】
2008295038.tif 000009
【図８】
2008295038.tif 000010
【図９】
2008295038.tif 000011
【図１０】
2008295038.tif 000012
【図１１】
2008295038.tif 000013
【図１２】
2008295038.tif 000014
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
システム時間信号を発生させるように構成されているシステム時間プロセッサと、
システム時間信号に基づくロングコードマスクを使用して、第１のＰＮロングコードを発生させるように構成されているＰＮロングコード発生器と、
第１のＰＮロングコードによりアクセスチャネルプローブ信号を乗算するように構成されているＰＮ拡散器とを具備するアクセスターミナル装置。
【請求項２】
予め定められた高速接続リバーストラフィックチャネルウォルシュカバーによりデータレート制御信号を乗算して、カバーされたデータレート制御信号を生成するように構成されているミキサをさらに具備し、
ＰＮ拡散器は第２のＰＮロングコードにより、カバーされたデータレート制御信号を拡散するようにさらに構成されている請求項１記載の装置。
【請求項３】
第１のＰＮロングコードは複素ＰＮロングコードであり、ＰＮ拡散器はアクセスチャネルプローブ信号によるＰＮロングコードの複素乗算を実行するように構成されている請求項１記載の装置。
【請求項４】
高速アクセスインジケータ信号を高速アクセスインジケータウォルシュカバーと混合し、カバーされた高速アクセスインジケータ信号を生成するように構成されているミキサと、
ＰＮコードにより、カバーされた高速アクセスインジケータ信号を乗算するように構成されているＰＮ拡散器とを具備するアクセスネットワーク装置。
【請求項５】
少なくとも１つのリバース電力制御ウォルシュカバーにより少なくとも１つのリバース電力制御信号を乗算するように構成されている少なくとも１つのミキサをさらに具備し、
少なくとも１つのリバース電力制御ウォルシュカバーのそれぞれは、他のリバース電力制御ウォルシュカバーのそれぞれと直交し、
少なくとも１つのリバース電力制御ウォルシュカバーのそれぞれは、高速アクセスインジケータウォルシュカバーと直交する請求項４記載の装置。
【請求項６】
高速アクセスインジケータ信号の利得を調整するように構成されている利得ブロックをさらに具備する請求項４記載の装置。
【請求項７】
バイナリ信号を＋１および−１にマッピングして、高速アクセスインジケータ信号を生成するように構成されている信号ポイントマッピングユニットをさらに具備する請求項４記載の装置。
【請求項８】
ＰＮコードが複素ＰＮコードであり、
ＰＮ拡散器は高速アクセスインジケータ信号により複素ＰＮコードの複素乗算を実行するように構成されている請求項４記載の装置。
【外国語明細書】
2008295038000001.pdf